(57)【要約】【課題】  本発明は、携帯電話電子メールを配信する方法であって、特に雨等の特定の天候の場合に提供される特典情報を含んだ電子メールを配信する方法を提供する。【解決手段】  本発明のメール配信方法は、気象情報受信手段（１６）が予報データを取得し、予報データを解析し各エリア各時刻毎の気象情報を気象情報保存手段（１９）に保存し、メールを配信すべきユーザのメール・アドレスを取得し、前記メール・アドレスに対応した対象エリア・データを取得し、各エリア各時刻毎の気象情報の中から対象エリア対象時刻気象情報を選択し、特定の天候に関する特典情報を取得し、対象エリア対象時刻気象情報の中に特定の天候の情報が含まれているか否かを判断し、対象エリア対象時刻気象情報の中に特定の天候が含まれている場合に特典情報を含んだ電子メールを作成し、メール配信手段（２０）を用いて電子メールを前記メール・アドレスに配信する。【選択図】      図４
2005339009.tif 000002
【特許請求の範囲】
【請求項１】
ネットワークを介して携帯電話及び気象情報提供サーバに接続できる、少なくとも気象情報受信手段、制御手段、ユーザのメール・アドレス、メール配信時刻データ及び対象エリア・データを関連付けて記憶する記憶手段、気象情報保存手段、及びメール配信手段を含むシステムを用いて携帯電話のユーザにメールを配信する方法であって、
前記気象情報受信手段が、ネットワークを介して前記気象情報提供サーバから予報データを取得するステップと、
前記制御手段が、前記予報データを解析し、各エリア各時刻毎の気象情報を前記気象情報保存手段に保存するステップと、
前記制御手段が、メールを配信すべきユーザのメール・アドレスを前記記憶手段から取得するステップと、
前記制御手段が、前記メール・アドレスに対応した対象エリア・データを前記記憶手段から取得するステップと、
前記制御手段が、配信時刻及び前記対象エリア・データに基づいて前記各エリア各時刻毎の気象情報の中から対象エリア対象時刻気象情報を選択するステップと、
前記制御手段が、前記対象エリア対象時刻気象情報に従って特定の天候に関する特典情報を取得するステップと、
前記制御手段が、前記対象エリア対象時刻気象情報の中に前記特定の天候の情報が含まれているか否かを判断するステップと、
前記制御手段が、前記対象エリア対象時刻気象情報の中に特定の天候が含まれている場合に、前記特典情報を含んだ電子メールを作成するステップと、
前記制御手段が、メール配信手段を用いて前記電子メールを前記メール・アドレスに配信するステップと、
を有することを特徴とする方法。
【請求項２】
ネットワークを介して携帯電話及び気象情報提供サーバに接続できる、少なくとも気象情報受信手段、制御手段、ユーザのメール・アドレス及び対象エリア・データを関連付けて記憶する記憶手段、気象情報保存手段、及びメール配信手段を含むシステムを用いて、携帯電話のユーザにメールを配信する方法であって、
前記気象情報受信手段が、ネットワークを介して前記気象情報提供サーバから予報データを取得するステップと、
前記制御手段が、前記予報データを解析し、各エリア各時刻毎の気象情報を前記気象情報保存手段に保存するステップと、
前記制御手段が、前記各エリア各時刻毎の気象情報を参照し、特定の天候が始まるエリア及び時刻を求めるステップと、
前記制御手段が、前記エリアを対象エリアに設定しているユーザのメール・アドレスを前記記憶手段から検索するステップと、
前記制御手段が、前記時刻から所定の時間だけ前の時刻からの前記エリアにおける気象情報及び特定の天候に関する特典情報を取得するステップと、
前記制御手段が、前記気象情報及び前記特典情報を含んだ電子メールを作成するステップと、
前記制御手段が、前記メール配信手段を用いて前記時刻から所定の時間だけ前の時刻に前記電子メールを前記メール・アドレスに配信するステップと、
を有することを特徴とする方法。
【発明の詳細な説明】
【技術分野】
【０００１】
本発明は、携帯電話に天候に応じて電子メールを配信する方法であって、特に雨等の特定の天候の場合に提供される特典情報を含んだ電子メールを配信する方法に関するものである。
【背景技術】
【０００２】
飲食店等の顧客数は、天候に左右されることが多い。例えば、雨の日には、繁華街にある店であっても、通常の日の半数程度に顧客数が減ってしまうこともある。そのため、雨等の特定の天候の日に、メニューの値段を割り引く等の特定のサービスを提供することにより、顧客の減少を最小限に抑えようとする試みが多くの飲食店等で行われている。
【０００３】
しかしながら、飲食店等の広告はチラシ等の紙媒体によることが多く、即時性を欠いており、大量の顧客に有益な情報をリアルタイムに届けることができないという欠点があった。また、顧客の側から、そのような情報を積極的に集めることができないという欠点があった。
【発明の開示】
【発明が解決しようとする課題】
【０００４】
そこで、本発明は、気象情報の中に特定の天候が現れるときに、特定の天候に関する特典情報を含むメールを配信することを目的とする。
【課題を解決するための手段】
【０００５】
上述の問題を解決するために、本発明に係るメール配信方法は、ネットワークを介して携帯電話及び気象情報提供サーバに接続できる、少なくとも気象情報受信手段、制御手段、ユーザのメール・アドレス、メール配信時刻データ及び対象エリア・データを関連付けて記憶する記憶手段、気象情報保存手段、及びメール配信手段を含むシステムを用いて、携帯電話のユーザにメールを配信する方法において、気象情報受信手段がネットワークを介して気象情報提供サーバから予報データを取得するステップと、制御手段が予報データを解析し各エリア各時刻毎の気象情報を気象情報保存手段に保存するステップと、制御手段がメールを配信すべきユーザのメール・アドレスを記憶手段から取得するステップと、制御手段が前記メール・アドレスに対応した対象エリア・データを記憶手段から取得するステップと、制御手段が配信時刻及び対象エリア・データに基づいて各エリア各時刻毎の気象情報の中から対象エリア対象時刻気象情報を選択するステップと、制御手段が対象エリア対象時刻気象情報に従って特定の天候に関する特典情報を取得するステップと、制御手段が対象エリア対象時刻気象情報の中に特定の天候の情報が含まれているか否かを判断するステップと、制御手段が対象エリア対象時刻気象情報の中に特定の天候が含まれている場合に特典情報を含んだ電子メールを作成するステップと、制御手段がメール配信手段を用いて電子メールを前記メール・アドレスに配信するステップと、を有することを特徴とする。
【０００６】
また、本発明に係るメール配信方法は、ネットワークを介して携帯電話及び気象情報提供サーバに接続できる、少なくとも気象情報受信手段、制御手段、ユーザのメール・アドレス及び対象エリア・データを関連付けて記憶する記憶手段、気象情報保存手段、及びメール配信手段を含むシステムを用いて、携帯電話のユーザにメールを配信する方法において、気象情報受信手段がネットワークを介して気象情報提供サーバから予報データを取得するステップと、制御手段が予報データを解析し各エリア各時刻毎の気象情報を気象情報保存手段に保存するステップと、制御手段が各エリア各時刻毎の気象情報を参照し特定の天候が始まるエリア及び時刻を求めるステップと、制御手段が前記エリアを対象エリアに設定しているユーザのメール・アドレスを記憶手段から検索するステップと、制御手段が前記時刻から所定の時間だけ前の時刻からの前記エリアにおける気象情報及び特定の天候に関する特典情報を取得するステップと、制御手段が気象情報及び特典情報を含んだ電子メールを作成するステップと、制御手段がメール配信手段を用いて前記時刻から所定の時間だけ前の時刻に電子メールを前記メール・アドレスに配信するステップと、を有することを特徴とする。
【発明の効果】
【０００７】
このようにして、本発明に依れば、気象情報の中に特定の天候が現れるときに、特定の天候に関する特典情報を含むメールを配信することができる。そのため、雨の日に”遊ぶ・買う・食べる”をコンセプトに、雨で割引になる飲食店、デパ地下、セレクトショップ、量販店、遊園地、美容院、映画館、雑貨屋、ライブハウス、クラブなどの店舗について、気象情報と連動して紹介する割引情報サービスで、店舗名、所在地（住所、最寄駅、地図）、電話番号、営業時間、オススメメニュー、割引内容、店の説明文等の詳細項目を含むサービスを提供することができる。これにより、店舗の側は、雨を活かした販促展開や売上の向上などが期待できる。また、紙媒体による広告に比して即時性のある店舗の広告情報を顧客の側から積極的に集めることができるようになる。これにより、顧客は、本発明によるサービスの加盟店で割引特典などを享受できる。
【０００８】
また、本発明に依れば、気象情報の中に特定の天候が現れることを、所定の時間だけ前に、特定の天候に関する特典情報を含むメールの配信によって知ることができるので、飲食店等の顧客は、雨等の日の行動計画を立てやすくなる。
【発明を実施するための最良の形態】
【０００９】
以下、本発明に係るメール配信方法を図１から図９を参照して詳細に説明する。
【００１０】
図１は、本発明に係るメール配信方法を実現するためのシステム１１０及びシステム１１０と接続されるネットワーク１２等を示す構成図である。
図１において、システム１１０は、システム１１０に対する不正侵入を防ぐファイアウォール１４、システム１１０内の各機器及び手段を接続するルータ１５、ネットワーク１２から気象情報を受信する気象情報受信手段１６、本発明に係るメール配信のフローを制御する制御手段１７、ユーザのメール・アドレス、メール配信時刻データ及び対象エリア・データを関連付けて記憶する記憶手段１８、各エリア各時刻毎の気象情報を保存する気象情報保存手段１９、メール・アドレスで指定された宛先にメールを配信するメール配信手段２０等により構成される。気象情報受信手段１６、制御手段１７、記憶手段１８、気象情報保存手段１９、メール配信手段２０は、プログラムを実行するＣＰＵ、プログラムやデータを固定的に記憶するＲＯＭ、プログラムやデータを一時的に記憶するＲＡＭ及びＨＤＤで構成されるサーバであってよい。図１においてシステム１１０は、５つの手段（すなわち、サーバ）から構成されているが、これらは、１個のサーバで実現されても、さらに複数個のサーバで実現されてもよい。このシステム１１０は、ネットワーク１２を介して気象情報提供サーバ１３と常時接続されており、気象情報受信手段１６は気象情報提供サーバ１３から気象情報を受信することができる。また、システム１１０は、ユーザが携帯電話１０を操作したときに携帯電話会社基地局１１及びネットワーク１２を介して携帯電話１０と接続されるので、メール配信手段２０は、作成された電子メールを特定のユーザに配信することができる。
【００１１】
上記システム１１０を用いた、ユーザの指定したメール配信時刻に対象エリアの気象情報を配信する第１のメール配信方法（実施例１参照）と、雨が降り始める予報時刻の所定時間だけ前の時刻にその時刻からの気象情報を配信する第２のメール配信方法（実施例２参照）について以下に説明する。なお、便宜上、第１及び第２のメール配信方法を総称して、「雨トク」サービスと言うこととする。
【実施例１】
【００１２】
図２〜図６を用いて、ユーザの指定したメール配信時刻に対象エリアの気象情報を配信する第１のメール配信方法について説明する。
最初に、ユーザの設定登録について説明する。ユーザは、自己の携帯電話１０からシステム１１０へアクセスし、制御手段１７が提供する２００の画面をダウンロードして携帯電話１０の表示画面に表示させ、その画面中で「雨トク」２０１を選択する。「雨トク」２０１が選択されると、次に第１のメール配信方法（通称「お天気メール」）と第２のメール配信方法（通称「雨トクメール」）のいずれかを選択する選択画面２１０が表示される。
【００１３】
選択画面２１０において、ユーザは、携帯電話１０の画面を用いて、第１のメール配信方法（通称「お天気メール」）をクリックすると、ユーザ設定登録画面２２０が表示される。ユーザ設定登録画面２２０において、ユーザは、登録番号２２１、ユーザ名２２２、メール・アドレス２２３、メール配信時刻Ｔ２２４（単位：時）（Ｔは、０以上２３以下の整数）及び第１のメール配信方法で有効となる対象エリア２２５を設定する。
【００１４】
このようなユーザ設定が複数のユーザによってなされることにより、図３に示すようなユーザ固有情報データベースが、記憶手段１８に構築される。本実施形態において、ユーザ固有情報データベースは、登録番号データ３０１、ユーザ名３０２、メール・アドレス３０３、メール配信時刻３０４、対象エリア３０５を含んでいる。しかしながら、これは一例であって、様々な改変が可能である。図３の例では、メール・アドレスｘｘｘ＠ｘｘｘ．ｘｘ．ｊｐを持つユーザ○○××が、メール配信時刻Ｔ＝２２（時）、対象エリアとして「東京」を設定し、メール・アドレスｙｙｙ＠ｙｙｙ．ｙｙ．ｊｐを持つユーザ△△□□が、メール配信時刻Ｔ＝１８（時）、対象エリアとして「メール着信地点」（ユーザがメールを着信する地点から最も近い携帯電話の基地局のエリア）を設定している。
【００１５】
図４は、第１のメール配信方法の流れの概要を示すフローチャートである。このフローチャートの示す動作は、主に制御手段１７に格納されたプログラムに従い、制御手段１７のＣＰＵ等により実行される。
まず、気象情報受信手段１６が、ネットワーク１２を介して気象情報提供サーバ１３から各地の各時刻における雲の状況、気温、降水量、湿度等を示す数値データのみからなる予報データを取得する（Ｓ４１）。
【００１６】
次に、制御手段１７が、０（時）、１２（時）に、この数値データのみからなる予報データをユーザが見安いようなキャラクタとして表示できるように解析し、解析結果である各エリア各時刻毎の気象情報を気象情報保存手段１９内のテーブルに保存する（Ｓ４２）。ここで、０（時）に解析された結果得られた気象情報のテーブルと１２（時）に解析された結果得られた気象情報のテーブルは、別々に記憶しておくのが望ましい。
解析され、気象情報保存手段１９に保存された気象情報の一例を図５に示す。なお、図５は一例に過ぎず、他の形態を取り得る事は言うまでもない。図５は、例えば２００４年５月５日の０（時）における東京、神奈川、千葉、六本木、銀座、渋谷の気象情報が全て「晴れ」であり、例えば２００４年５月５日の１２（時）における東京、神奈川、千葉、六本木、銀座、渋谷の気象情報が、それぞれ、「曇り」、「雨」、「曇り」、「曇り」、「曇り」、「曇り」であることを示している。
【００１７】
ここで、予報データの解析された結果の内、０（時）、１２（時）のいずれの時刻に解析されたものを利用するかは、メール配信時刻Ｔに依存させるのが望ましい。
一例として、
Ｓ＝１２＊［（Ｔ−５）／１２］＋２４＊［（２８−Ｔ）／２４］
という関数を用いることが考えられる。ただし、［ｘ］は、ｘ以下の最大の整数を表す。
Ｔが０以上４以下のとき、Ｓ＝１２、
Ｔが５以上１６以下のとき、Ｓ＝０、
Ｔが１７以上２３以下のとき、Ｓ＝１２
という値をとるので、Ｔの値に応じて、Ｓ（時）の予報データを解析すればよい。
なお、上記の予報データを取得する時刻や、解析をするタイミング等は、一例であって、様々な改変が可能である。
【００１８】
次に、制御手段１７は、メールを配信すべきユーザのメール・アドレスを記憶手段１８の中から取得する（Ｓ４３）。ここで、制御手段１７は、全てのユーザについて、図３に例示した記憶手段１８に記憶されているデータベースにおいて、メール配信時刻Ｔデータ３０４を調べ、メール配信時刻Ｔが次の配信時刻と等しい場合に、そのユーザをメールを配信すべきユーザと見なす。
図３に示した例に依れば、次の配信時刻が２２（時）ならば、ユーザ○○××はメールを配信すべきユーザということになり、そのメール・アドレスｘｘｘ＠ｘｘｘ．ｘｘ．ｊｐが取得される。
【００１９】
次に、このメール・アドレスに対応した対象エリア・データを図３に例示した記憶手段１８内のデータベースから取得する（Ｓ４４）。
図３に示した例に依れば、ユーザ○○××のメール・アドレスに対応した対象エリア・データは、東京である。
【００２０】
次に、配信時刻データＴ及び対象エリア・データに基づいて図５に例示した各エリア各時刻毎の気象情報の中から対象エリア対象時刻気象情報を選択する（Ｓ４５）。
例えば、指定対象エリアにおけるＮ＊［Ｔ／Ｎ］＋Ｎ（時）〜Ｎ＊［Ｔ／Ｎ］＋２４（時）のＮ時間毎の対象エリア対象時刻気象情報を選択することができる。ここで、Ｎは、２４の約数である正定数とする。
【００２１】
ここで、ＴをＮで割った商をｑ、余りをｒ（ｒ＝０、１、…、Ｎ−１）とすると、
Ｔ＝Ｎ＊ｑ＋ｒ
と表されるので、
Ｎ＊［Ｔ／Ｎ］
＝Ｎ＊［（Ｎ＊ｑ＋ｒ）／Ｎ］
＝Ｎ＊［ｑ＋ｒ／Ｎ］
＝Ｎ＊ｑ
＝Ｔ−ｒ
＝Ｔ−（ＴをＮで割った余り）
となる。
【００２２】
Ｔ＝２２であり、特にＮ＝３である場合には、
Ｎ＊［Ｔ／Ｎ］
＝３＊［２２／３］
＝３＊［７＋１／３］
＝３＊７
＝２１
であり、確かに、
Ｎ＊［Ｔ／Ｎ］
＝２２−（２２を３で割った余り）
となっている。
【００２３】
この場合、Ｎ＊［Ｔ／Ｎ］＋Ｎ（時）〜Ｎ＊［Ｔ／Ｎ］＋２４（時）のＮ時間毎の時刻は、２１＋３〜２１＋２４（時）の３時間毎の時刻、すなわち、０、３、６、９、１２、１５、１８、２１（時）ということになるので、更に、（対象エリア・データ）＝（東京）である場合には、これらの時刻における東京の対象エリア対象時刻気象情報が選択される。
図５の例に依れば、選択された対象エリア対象時刻気象情報は、
東京
０（時）：晴れ
３（時）：晴れ
６（時）：曇り
９（時）：曇り
１２（時）：曇り
１５（時）：雨
１８（時）：雨
２１（時）：雨
となる。
【００２４】
次に、制御手段１７が、対象エリア対象時刻気象情報に従って、雨等の特定の天候に関する特典情報を例えばネットワーク１２等を介して取得する（Ｓ４６）。
次に、対象エリア対象時刻気象情報の中に、雨等の特定の天候が含まれているか否かを判断し（Ｓ４７）、含まれている場合に、特典情報を含んだ電子メールを作成する（Ｓ４８）。
【００２５】
図６に、作成される電子メールの一例６１０を示す。電子メール６１０は、図５の例における対象エリア対象時刻中に特定の天気（即ち、雨）が含まれていたために、制御手段１７によって作成されたものであって、ユーザの携帯電話１０の表示画面に表示された状態を示している。ユーザは、「特典情報」６１２をクリックすることによって、エリア一覧６２０を表示する。ユーザは、更に、エリア一覧６２０の中の「青山、六本木、麻布」６２２をクリックすることによって、ジャンル一覧６３０を表示する。ユーザは、更に、ジャンル一覧６３０の中の「雨トクで飲食」６３２をクリックすることによって、店舗リスト６４０を表示する。ユーザは、更に、店舗リスト６４０の中の「ラーメン六本木」６４２をクリックすることによって、（ラーメン六本木の）店舗情報６５０を表示する。
【００２６】
ここで、「特典情報」とは、例えば、図６の店舗情報６５０の中に見られる「雨の日に限り全品半額」のような天候に関連したサービスの情報である。
この「特典情報」は、電子メールに明示的に含まれていてもよく、また、図６に示す電子メール６１０に６１２として例示したように「特典情報」へのリンクという形式で含まれていてもよい。
【００２７】
最後に、制御手段１７が、メール配信手段２０を用いて、電子メールをユーザのメール・アドレスに配信する（Ｓ４９）。
一例として、この電子メールは、図６の６１０として例示したように「天気傾向、気温、降水量」の情報を含む。
【００２８】
以上に述べた実施例に依れば、ユーザが指定したエリアと時刻における気象情報の中に一つでも雨がある場合に、特典情報へのリンクを含む電子メールを受け取ることができる。これにより、ユーザは、雨の日に限り特定のサービスを提供する店の情報に簡単にアクセスする事ができる。
【実施例２】
【００２９】
図２、５、７、８及び９を用いて、雨が降り始める予報時刻の所定時間だけ前の時刻にその時刻からの気象情報を配信する第２のメール配信方法について説明する。
最初に、ユーザの設定登録について説明する。ユーザは、自己の携帯電話１０からシステム１１０へアクセスし、制御手段１７が提供する２００の画面をダウンロードして携帯電話１０の表示画面に表示させ、その画面中で「雨トク」２０１を選択する。「雨トク」２０１が選択されると、次にユーザ設定画面２１０が表示される。
【００３０】
最初に、ユーザの設定登録について説明する。第１実施例の場合と同様に、ユーザは、自己の携帯電話１０からシステム１１０へアクセスし、制御手段１７が提供する２００の画面をダウンロードして携帯電話１０の表示画面に表示させ、その画面中で「雨トク」２０１を選択する。「雨トク」２０１が選択されると、次に第１のメール配信方法（通称「お天気メール」）と第２のメール配信方法（通称「雨トクメール」）のいずれかを選択する選択画面２１０が表示される。
【００３１】
選択画面２１０において、ユーザは、携帯電話１０の画面を用いて、第２のメール配信方法（通称「雨トクメール」）をクリックすると、ユーザ設定登録画面２３０が表示される。ユーザ設定登録画面２３０において、ユーザは、登録番号２３１、ユーザ名２３２、メール・アドレス２３３及び第２のメール配信方法で有効となる対象エリア２３４を設定する。
【００３２】
このようなユーザ設定が複数のユーザによってなされることにより、図７に示すようなユーザ固有情報データベースが、記憶手段１８に構築される。本実施形態において、ユーザ固有情報データベースは、登録番号データ７０１、ユーザ名７０２、メール・アドレス７０３、対象エリア７０４を含んでいる。しかしながら、これは一例であって、様々な改変が可能である。図７の例では、メール・アドレスｘｘｘ＠ｘｘｘ．ｘｘ．ｊｐを持つユーザ○○××が、対象エリアとして「六本木」を設定し、メール・アドレスｙｙｙ＠ｙｙｙ．ｙｙ．ｊｐを持つユーザ△△□□が、対象エリアとして「メール着信地点」（ユーザがメールを着信する地点から最も近い携帯電話の基地局のエリア）を設定している。
【００３３】
図８は、第２のメール配信方法の流れの概要を示すフローチャートである。このフローチャートの示す動作は、制御手段１７に格納されたプログラムに従い、制御手段１７のＣＰＵ等により実行される。
まず、気象情報受信手段１６は、ネットワーク１２を介して気象情報提供サーバ１３から各地の各時刻における雲の状況、気温、降水量、湿度等を示す数値データのみからなる予報データを受信する（Ｓ８１）。
【００３４】
次に、制御手段１７は、常時、受信された数値データのみからなる予報データをユーザが見安いようなキャラクタとして表示できるように解析し、解析結果である各エリア各時間毎の気象情報を図５に例示したように気象情報保存手段１９内のテーブルに保存する（Ｓ８２）。ただし、図５に例示した第１の実施例の場合よりも短い時間間隔（例：０．５時間）に対して気象情報を保存する。なお、図５に示した解析結果は一例に過ぎず、他の形態を取り得ることは言うまでもない。
【００３５】
次に、制御手段１７が、この各エリア各時刻毎の気象情報を参照し、雨等の特定の天候が始まるエリア及び時刻ｔを求める（Ｓ８３）。
図５の中の一例として、（エリア）＝（六本木）、ｔ＝１４．５が挙げられる。
次に、雨等の特定の天候が始まるエリアを対象エリアに設定しているユーザのメール・アドレスを図７に示した記憶手段１８のデータベースの中で検索する（Ｓ８４）。
この例では、六本木を対象エリアに設定しているユーザ○○××のメール・アドレスｘｘｘ＠ｘｘｘ．ｘｘ．ｊｐが選択される。
【００３６】
次に、制御手段１７が、雨等の特定の天候が始まる時刻から所定の時間だけ前の時刻からの雨等の特定の天候が始まるエリア（この例では、六本木）における気象情報及び特定の天候に関する特典情報を含んだ電子メールを作成する（Ｓ８５〜Ｓ８６）。
【００３７】
図９に、作成される電子メールの一例９１０を示す。電子メール９１０は、制御手段１７によって作成されたものであって、ユーザの携帯電話１０の表示画面に表示された状態を示している。ユーザは、「特典情報」１２をクリックすることによって、ジャンル一覧９２０を表示する。ユーザは、更に、ジャンル一覧９３０の中の「雨トクで飲食」９２２をクリックすることによって、店舗リスト９３０を表示する。ユーザは、更に、店舗リスト９３０の中の「ラーメン六本木」９３２をクリックすることによって、（ラーメン六本木の）店舗情報９４０を表示する。
【００３８】
ここで、「特典情報」とは、例えば、図９の店舗情報９４０の中に見られる「雨の日に限り全品半額」のような天候に関連したサービスの情報である。
この「特典情報」は、電子メールに明示的に含まれていてもよく、また、図９に示す電子メール９１０に９１２として例示したように「特典情報」へのリンクという形式で含まれていてもよい。
【００３９】
一例として、
ｓ＝−Ｎ＊［−ｔ／Ｎ］−Ｎ（時）
からの雨が始まるエリアにおける気象情報を含んだ電子メールを作成することができる。ただし、Ｎは、２４の約数である正定数である。
【００４０】
ここで、
ｔ＝Ｎ＊ｋ−α  （ｋは整数、αは０以上Ｎ未満の実数）
とおくと、
ｓ＝−Ｎ＊［−（Ｎ＊ｋ−α）／Ｎ］−Ｎ
＝−Ｎ＊［−（ｋ−α／Ｎ）］−Ｎ
＝−Ｎ＊［−ｋ＋α／Ｎ］−Ｎ
＝−Ｎ＊（−ｋ）−Ｎ
＝Ｎ＊ｋ−Ｎ
となる。
【００４１】
例えば、Ｎ＝３であり、Ｓ８３においてｔ＝１４．５（＝３＊５−０．５、ゆえに、ｋ＝５、α＝０．５）と求められた場合、
ｓ＝−Ｎ＊［−ｔ／Ｎ］−Ｎ
＝−３＊［−１４．５／３］−３
＝−３＊［−２９／６］−３
＝−３＊［−５＋１／６］−３
＝−３＊（−５）−３
＝１５−３
＝１２（時）
であり、確かに、
ｓ＝３＊５−３
となっている。
【００４２】
この場合、１２（時）からの雨が始まるエリア（この例では、六本木）における気象情報を含んだ電子メールが作成される。
なお、上記の「雨等の特定の天候が始まる時刻から所定の時間だけ前の時刻」を求める方法は、一例であって、様々な改変が可能である。
【００４３】
最後に、制御手段１７が、メール配信手段２０を用いて、雨等の特定の天候が始まる時刻から所定の時間だけ前の時刻（この例では、１２時）に、電子メールをユーザのメール・アドレスに配信する（Ｓ８７）。
この例に依れば、雨が降り始めると予測されている１４．５（時）より２．５（時間）前の１２（時）に先のメールは送信される。
【００４４】
第２のメール配信方法によるメールの着信により、ユーザは、指定対象エリア（例えば、六本木）において雨が降り始めるＮ時間以内にそれを知ることができ、更に、図９に例示した電子メールの一例の手順で、雨の日に限り特定のサービスを提供する店の情報に簡単にアクセスする事ができる。
【００４５】
上述した第１及び第２の実施例においては、特典情報をメールに含めるための特定の天候を「雨」として説明したが、これは説明を目的とするためであり、それに限定されるものではなく、「雪」、「雷」等に置き換えることもできる。
また、上述した第１及び第２の実施例においては、携帯電話１０と本発明のシステム１１０のユーザ・インターフェース（ユーザ設定画面等）を実現する手段として制御手段を用いたが、それを実現する手段をユーザ・インターフェース手段として独立させてもよい。
【図面の簡単な説明】
【００４６】
【図１】本発明に係るメール配信を提供するためのネットワーク構成図である。
【図２】ユーザの設定登録を示す図である。
【図３】記憶手段に記憶されているユーザ固有情報の例を示す図である。
【図４】本発明に係る第１のメール配信方法の概要を示すフローチャートである。
【図５】気象情報保存手段に保存された各エリア各時刻毎の気象情報の例を示す図である。
【図６】「特典情報」付き電子メールの一例を示す図である。
【図７】記憶手段に記憶されているユーザ固有情報の例を示す図である。
【図８】本発明に係る第２のメール配信方法の概要を示すフローチャートである。
【図９】「特典情報」付き電子メールの一例を示す図である。
【符号の説明】
【００４７】
１０…携帯電話
１１…携帯電話会社基地局
１２…ネットワーク
１３…気象情報提供サーバ
１４…ファイアウォール
１５…ルータ
１６…受信手段
１７…制御手段
１８…記憶手段
１９…気象情報保存手段
２０…メール配信手段
【図１】
2005339009.tif 000003
【図２】
2005339009.tif 000004
【図３】
2005339009.tif 000005
【図４】
2005339009.tif 000006
【図５】
2005339009.tif 000007
【図６】
2005339009.tif 000008
【図７】
2005339009.tif 000009
【図８】
2005339009.tif 000010
【図９】
2005339009.tif 000011